(57)【特許請求の範囲】
【請求項１】
浴室の下地面に、アスファルトを含浸させた不織布の片面にゴム化アスファルトからなる自着層を設けた広幅の防水シートを、その側縁を突き合わせるようにして貼る領域を画定し、次いで、前記画定した領域の境界部位及びコーナー部の角部に合うように、表面が平滑なプラスチックフィルムの片面にゴム化アスファルトからなる自着層を設けた細幅の防水テープをその幅方向中心に沿って貼り、しかる後、前記画定した領域及びコーナー部に貼った防水テープに、前記広幅の防水シートの周縁部を重ねて貼って密着させた後、前記広幅の防水シートの上からステープルを打ち込むことを特徴とする浴室防水施工方法。
【請求項２】
前記防水シートの横幅が４００〜６００ｍｍ、前記防水テープの横幅が８０〜１５０ｍｍであることを特徴とする請求項１に記載の浴室防水施工方法。
【発明の詳細な説明】
【０００１】
【発明の属する技術分野】
この発明は、浴室の本格防水を、専門防水施工業者の手を煩わせることなく現場作業者により簡単かつ確実に施工できるようにした浴室防水施工方法に関するものである。
【０００２】
【従来の技術】
浴室は、住宅において一番湿気の多い場所である。湿気は住宅構築材料である木材を腐朽させ、鉄材を錆させ、かびや白蟻を発生させる等の原因となる。これらは住宅の寿命を著しく縮めることになる。
【０００３】
従来の浴室防水は、浴室の下地面に防水紙をステープルで止める方法で施工していたため防水効果が低く、自着層付き防水シートを浴室の下地面と全面接着させる、いわゆる本格防水施工方法を採ることが望まれた。
【０００４】
前記本格防水施工は、浴室のコーナー部、例えば、二側壁のコーナー、床と側壁とのコーナー、天井と側壁とのコーナー、窓枠や出入口などの開口部周囲のコーナーなどの処理が困難であり、高い熟練度が要求されたため、専門防水施工業者に依頼せざるを得なかった。
【０００５】
【発明が解決しようとする課題】
しかしながら、浴室は施工面積が小さく、現場までの往復の時間と費用を考慮すると、コスト面で専門防水施工業者に依頼することが困難であって、工期との関係で現場作業者が簡易防水を行ってしまうという問題が生じていた。
【０００６】
そこで、本発明者は、専門防水施工業者の手を煩わせることなく、住宅建設中の大工などの現場作業者により簡単かつ確実に本格防水施工ができる新規な浴室防水施工方法を提供することを目的としている。
【０００７】
【課題を解決するための手段】
上記目的を達成するため、本発明に係わる浴室防水施工方法は、浴室の下地面に、アスファルトを含浸させた不織布の片面にゴム化アスファルトからなる自着層を設けた広幅の防水シートを、その側縁を突き合わせるようにして貼る領域を画定し、次いで、前記画定した領域の境界部位及びコーナー部の角部に合うように、表面が平滑なプラスチックフィルムの片面にゴム化アスファルトからなる自着層を設けた細幅の防水テープをその幅方向中心に沿って貼り、しかる後、前記画定した領域及びコーナー部に貼った防水テープに、前記広幅の防水シートの周縁部を重ねて貼って密着させた後、前記広幅の防水シートの上からステープルを打ち込むことを特徴とし、本格防水が簡単かつ確実に行えるように構成した。
【０００８】
また、請求項２に記載の発明に係わる浴室防水施工方法は、前記防水シートの横幅が４００〜６００ｍｍ、前記防水テープの横幅が８０〜１５０ｍｍであることを特徴とし、防水シート及び防水テープの取扱性と作業性の向上に寄与できるように構成した。
【０００９】
【発明の実施の態様】
次に、本発明を添付図面に示す実施態様に基づいて説明する。図１（ａ）は防水シートの斜視図、（ｂ）は同拡大断面図、図２（ａ）は防水テープの斜視図、（ｂ）は同拡大断面図、図３は浴室に防水シートを貼る領域を画定した後、コーナー部に防水テープを貼っている状態を示す斜視図、図４は防水シートを貼る領域の境界部位に防水テープを貼っている状態を示す斜視図、図５は防水シートを貼っている状態を示す斜視図、図６は貼った防水シートをステープルで止めた状態を示す斜視図、図７は防水シートを貼る作業状態を示す斜視図、図８はガンタッカーの操作状態を示す斜視図である。
【００１０】
図１において、１は広幅の防水シートで、（ａ）の如く、ロール状に巻設されている。該防水シート１の横幅Ｗ1 は４００〜６００ｍｍが取扱性と作業性の向上に寄与できる上で適当である。即ち、４００ｍｍ未満では防水シート１の領域が狭くなり作業性が低下し、６００ｍｍを越えると防水シート１の両縁を把持する作業者の腕間の余裕がなくなり、取扱性が低下するからである。
【００１１】
また、防水シート１は、図１（ｂ）の如く、支持体１ａの片面に、自着層１ｂを設け、その外面に剥離紙１ｃを貼り合わせてなる。該支持体１ａは実施例ではアスファルトを含浸させた不織布が用いられている。前記自着層１ｂはゴム化アスファルト、具体的には合成ゴムとアスファルトと粘着付与材と軟化剤等を適量づつ混合した粘着性のあるゴム化アスファルトをコーティングしてなる。該ゴム化アスファルトは粘着性に優れるとともに、釘穴シール性（ステープル穴シール性）が高い点で好ましい。
【００１２】
図２において、２は細幅にして表面が平滑な防水テープで、（ａ）の如く、ロール状に巻設されている。該防水テープ２の横幅Ｗ2 は８０〜１５０ｍｍ、好ましくは１００ｍｍ前後が取扱性と作業性の向上に寄与できる上で適当である。即ち、８０ｍｍ未満では後記する防水シート１の周縁部との重なり量が少なくなり、防水性が低下する一方、１５０ｍｍを越えると後記するコーナー部の作業性が悪くなる虞がある。
【００１３】
また、防水テープ２は、図２（ｂ）の如く、支持体２ａの片面に、自着層２ｂを設け、その外面に剥離紙２ｃを貼り合わせてなり、該支持体２ａの表面は、あとから重ね合わせるように貼られる防水シートの接着性の向上と互いの接着面にミズミチを作らせないために重要であり、ポリエチレンフィルムを含むプラスチックフィルム等の表面が平滑な素材のものが選ばれる。また、自着層２ｂは前記防水シート１と同様のものを用いて満足できる。
【００１４】
次に、前記防水シート１及び防水テープ２を用いる浴室の本格防水施工方法について説明すると、まず、浴室１０の下地面（天井、床、側壁を含む。）に広幅の防水シート１を、その側縁１′、１″を突き合わせるようにして貼る領域Ａ、Ｂ、Ｃ、Ｄ、Ｅ、Ｆ、Ｇ、Ｈ…を図３の破線で示すように画定する。
【００１５】
次いで、前記浴室１０のコーナー部（例えば、二側壁のコーナー、床と側壁とのコーナー、天井と側壁とのコーナー、窓枠や出入口などの開口部周囲のコーナーなどの角部を含む）１１と、前記画定した領域Ａ、Ｂ、Ｃ…の境界部位１２とに、それぞれ細幅の防水テープ２を貼る。該防水テープ２を前記コーナー部１１に貼る場合には次のようにするとよい。
【００１６】
即ち、防水テープ２の先端約１００ｍｍ程度を、図２（ａ）の如く、半分に折って折り目２′を付け、次いで、該折り目２′を付けた部分の剥離紙２ｃを剥がしてから折り目２′を角部に合わせ、支持体側から手指で押さえ付ける。しかる後、ヘラ（図示せず）を用いて防水テープ２がコーナー部１１に確実に密着する（浮きを無くす）ようにする。
【００１７】
次いで、浴室１０に窓枠や出入口等の開口部（図示せず）がある場合は、その周囲の角部に防水テープ２を前述の要領により貼り付ける。細幅の防水テープ２は横幅Ｗ2 が１００ｍｍ前後であるため、半分に折って折り目２′を付ける作業が簡単であるとともに、該折り目２′を角部に合わせて貼ることも簡易に行えるものである。
【００１８】
上述の如く、浴室１０のコーナー部１１と、画定した領域Ａ、Ｂ、Ｃ…の境界部位１２とに防水テープ２を貼った後、防水シート１を貼るが、その作業は平面貼りでのみの作業であって極めて簡易となる。しかも、防水シート１の横幅Ｗ1 が６００ｍｍ以下であると、図７の如く、作業者が防水シート１の両縁を掴む両腕の余裕ができ、取扱性に優れる。
【００１９】
前記防水シート１を貼る場合において、重要なことはシート周縁部（全部又は一部）を予め貼った防水テープ２に重ねることである。この重なり量Ｌは、最低４０ｍｍ程度あれば防水性を維持する上において望ましい。即ち、重なり部は前述の如く互いに密着し、ミズミチが出来ないためである。
【００２０】
次いで、貼った防水シート１の上から、図８の如く、現場作業者が通常備えているガンタッカー２０を用いてステープル２１を打ち込む。このステープル２１の打ち込み間隔は、その後に施工されるタイルやモルタルなどの重量に耐えられるように、少なくとも２５０ｍｍピッチで、図６の如く、全面的に打ち込むようにするとよい。
【００２１】
前記防水シート１は打ち込まれたステープル２１によって穴が開くこととなるが、自着層１ｂに釘穴シール性（ステープル穴シール性）があるため、漏水等の問題は生じないことは勿論である。
【００２２】
【発明の効果】
以上説明した如く、本発明に係る浴室防水施工法は、浴室の下地面に、アスファルトを含浸させた不織布の片面にゴム化アスファルトからなる自着層を設けた広幅の防水シートを、その側縁を突き合わせるようにして貼る領域を画定し、次いで、前記画定した領域の境界部位及びコーナー部の角部に合うように、表面が平滑なプラスチックフィルムの片面にゴム化アスファルトからなる自着層を設けた細幅の防水テープをその幅方向中心に沿って貼り、しかる後、前記画定した領域及びコーナー部に貼った防水テープに、前記広幅の防水シートの周縁部を重ねて貼って密着させた後、前記広幅の防水シートの上からステープルを打ち込むことを特徴としているから、本格防水が、簡単かつ確実に行える。すなわち、（ａ）浴室防水施工に際し、浴室の下地面に広幅の防水シートを、総て、平面貼り作業にて貼ることができる。また、（ｂ）ステープルの打ち込み時にゴム化アスファルトの効果により打ち込んだステープルの穴を確実に塞いで漏水のおそれをなくすることができるという優れた効果を奏するものである。
【００２３】
また、請求項２に記載の発明に係る浴室防水施工法は、前記防水シートの横幅が４００〜６００ｍｍ、前記防水テープの横幅が８０〜１５０ｍｍであることを特徴としているから、防水シート及び防水テープの取扱性及び作業性の向上に寄与できるという優れた効果を奏するものである。
【図面の簡単な説明】
【図１】  （ａ）は防水シートの斜視図、（ｂ）は同拡大断面図である。
【図２】  （ａ）は防水テープの斜視図、（ｂ）は同拡大断面図である。
【図３】  浴室に防水シートを貼る領域を画定した後、コーナー部に防水テープを貼っている状態を示す斜視図である。
【図４】  防水シートを貼る領域の境界部位に防水テープを貼っている状態を示す斜視図である。
【図５】防水シートを貼っている状態を示す斜視図である。
【図６】貼った防水シートをステープルで止めた状態を示す斜視図である。
【図７】防水シートを貼る作業状態を示す斜視図である。
【図８】ガンタッカーの操作状態を示す斜視図である。
【符号の説明】
１  広幅の防水シート
１ａ  支持体
１ｂ  自着層
１ｃ  剥離紙
１′、１″  防水シートの側縁
２  細幅の防水テープ
２ａ  支持体
２ｂ  自着層
２ｃ  剥離紙
２′  折り目
１０  浴室
１１  コーナー部
１２  画定した領域の境界部位
２０  ガンタッカー
２１  ステープル
Ａ、Ｂ、Ｃ  防水シートを貼るための画定された領域
Ｗ1   防水シートの横幅
Ｗ2   防水テープの横幅
Ｌ  重なり量
【図１】
0004156707.tif 000002
【図２】
0004156707.tif 000003
【図３】
0004156707.tif 000004
【図４】
0004156707.tif 000005
【図５】
0004156707.tif 000006
【図６】
0004156707.tif 000007
【図７】
0004156707.tif 000008
【図８】
0004156707.tif 000009